(57)【要約】【課題】視覚復号型秘密分散法における復号情報を可変とするとともに、ユーザが復号情報を容易に閲覧できる復号情報提供システム等を提供する。【解決手段】媒体２の本体部２０には、背面側が透明的に視認可能になされ、第１シェア画像を表示するディスプレイ２１が設けられている。また本体部２０の裏面には、ディスプレイ２１を囲む矩形領域の四隅のうちのいずれか三隅に、静電式タッチパネルに反応する位置決め部材２３Ａ〜２３Ｃが設けられている。媒体２が端末に重ね合わせられたとき、端末の静電式タッチパネルが、媒体２のディスプレイ２１に表示された第１シェア画像の位置、大きさ、向きを検知し、第２シェア画像の位置、大きさ、および向きを合わせて表示することができる。【選択図】図３
2012242572.tif 000002
【特許請求の範囲】
【請求項１】
視覚復号型秘密分散法により秘密情報を第１シェア画像と第２シェア画像に分散し、分散された前記第１シェア画像を表示する媒体と、前記第２シェア画像を生成するサーバと、前記第２シェア画像を表示する端末と、からなる復号情報提供システムにおいて、
前記媒体は、
前記第１シェア画像を生成する制御部と、
前記第１シェア画像を表示するものであって、本体部の背面側が透過的に視認可能な第１ディスプレイと、
を有し、
前記端末は、
ネットワークを介して前記サーバから前記第２シェア画像を取得する制御部と、
前記第２シェア画像を表示する第２ディスプレイと、
を有し、
前記第１ディスプレイと前記第２ディスプレイとが重ねられることによって、前記秘密情報が復号される
ことを特徴とする復号情報提供システム。
【請求項２】
前記媒体が前記端末にかざされた場合、前記端末は、前記媒体の第１ディスプレイに表示された前記第１シェア画像の位置、大きさ、および向きを検知し、前記第２シェア画像の位置、大きさ、および向きを合わせて表示する
ことを特徴とする請求項１に記載の復号情報提供システム。
【請求項３】
前記第２ディスプレイは、静電式タッチパネルであり、
前記媒体の所定位置には、前記第２ディスプレイの静電式タッチパネルに反応する材質の位置決め部材が３つ設けられている
ことを特徴とする請求項２に記載の復号情報提供システム。
【請求項４】
前記位置決め部材と同一の材質であって、前記位置決め部材の少なくとも１つと連接する放電部材が設けられている
ことを特徴とする請求項３に記載の復号情報提供システム。
【請求項５】
前記位置決め部材は、前記第１ディスプレイを囲む矩形領域の四隅のうちのいずれか三隅に配置されている
ことを特徴とする請求項３に記載の復号情報提供システム。
【請求項６】
前記位置決め部材が配置されていない残りの１つの角には、静電式タッチパネルに反応しない材質の部材が設けられる
ことを特徴とする請求項５に記載の復号情報提供システム。
【請求項７】
視覚復号型秘密分散法により秘密情報を第１シェア画像と第２シェア画像に分散し、分散された前記第１シェア画像を媒体の第１ディスプレイに表示し、サーバによって生成される前記第２シェア画像を端末の第２ディスプレイに表示する復号情報提供方法において、
前記媒体が、前記第１シェア画像を生成し、前記第１シェア画像を前記第１ディスプレイに表示するステップと、
前記端末が、ネットワークを介して前記サーバから前記第２シェア画像を取得し、前記第２シェア画像を前記第２ディスプレイに表示するステップと、
を含み、
前記第１ディスプレイと前記第２ディスプレイとが重ねられることによって、前記秘密情報が復号される
ことを特徴とする復号情報提供方法。
【請求項８】
視覚復号型秘密分散法により秘密情報を第１シェア画像と第２シェア画像に分散し、分散された前記第１シェア画像を表示する媒体において、
前記第１シェア画像を生成する制御部と、
前記第１シェア画像を表示するものであって、本体部の背面側が透過的に視認可能な第１ディスプレイと、
を有し、
前記媒体の所定位置には、前記第２シェア画像を表示する静電式タッチパネルに反応する材質の位置決め部材が３つ設けられている
ことを特徴とする媒体。
【請求項９】
前記位置決め部材と同一の材質であって、前記位置決め部材の少なくとも１つと連接する放電部材が設けられている
ことを特徴とする請求項８に記載の媒体。
【請求項１０】
前記位置決め部材は、前記第１ディスプレイを囲む矩形領域の四隅のうちのいずれか三隅に配置されている
ことを特徴とする請求項８に記載の媒体。
【発明の詳細な説明】
【技術分野】
【０００１】
本発明は、視覚復号型秘密分散法における復号情報を提供する復号情報提供システム等に関するものである。
【背景技術】
【０００２】
銀行のＡＴＭ（Automatic Teller Machine）やオンラインネットバンキングなどにおける認証システムとして、カード型乱数表やワンタイムパスワードを表示する媒体（デバイス）を利用した認証システムが広く利用されている。
【０００３】
カード型乱数表は、本人認証手段のひとつであり、利用者に対してキャッシュカードとは別に、個別に発行される。利用例としては、預金の振込みやパスワードの変更等、特に本人認証が必要とされる場合において、カード型乱数表内の一部の値がシステムから問われ、利用者がカード型乱数表内を見て正しく答えることで本人と認証される仕組みとなっている。
【０００４】
また、ワンタイムパスワードも、本人認証手段に用いられるものであり、媒体に表示された値を入力することで本人と認証される仕組みとなっている。なお、媒体に表示されるワンタイムパスワードは、時間毎、あるいは表示用のボタンを押した回数等により毎回更新されるパスワードである。
【０００５】
ところで、悪意を持った第三者が、カード型乱数表やワンタイムパスワードを盗み見て、本人になりすまして不正に認証を受けることが可能となってしまうといった不都合がある。
【０００６】
そこで、通常の状態では記録された画像を目視認識することができないようにする技術のひとつとして、視覚復号型秘密分散法（ＶＳＳＳ：Visual Secret Sharing Scheme）が知られている。
【０００７】
視覚復号型秘密分散法とは、秘密情報である乱数表やワンタイムパスワードを、通常の状態では目視認識することができないような不規則なパターンに暗号化して媒体に記録し、復号時、復号用のパターンが記録された媒体を物理的に重ね合わせることで、人間の目が復号器の役割を果たし、秘密情報を復号（可視化）することができるものである。
【０００８】
例えば、この視覚復号型秘密分散法に基づいて、カード型乱数表やワンタイムパスワードの表示内容を２つに分散し、一方の絵柄（以下、第１シェア画像と称する）をディスプレイカードにて表示し、もう一方の絵柄（以下、第２シェア画像と称する）をスマートフォン（登録商標）やタブレットパーソナルコンピュータなどのタッチパネル機能を持ったディスプレイにて表示する。そして、これらの絵柄を重ね合わせることで、乱数表あるいはワンタイムパスワードを視覚的に復号（再生）させる、といった利用を行うことができる。
【０００９】
例えば、特許文献１には、視覚復号型秘密分散法に基づいて、隠蔽情報を２つに分散し、第１シェア画像及び第２シェア画像の両方を媒体に印刷することによって、乱数表を再現する技術が提案されている。
【００１０】
また例えば、非特許文献１には、第１シェア画像を媒体に印刷し、第２シェア画像を端末のディスプレイに表示することによって、セグメント数字（０〜９）を再現する技術が提案されている。
【先行技術文献】
【特許文献】
【００１１】
【特許文献１】特開２０１１−３７０４５号公報
【非特許文献】
【００１２】
【非特許文献１】「Pass Window - ONLINEAUTHENTICATION」、[２０１１年４月２１日検索]インターネット<URL：http://www.passwindow.com/>
【発明の概要】
【発明が解決しようとする課題】
【００１３】
特許文献１の技術では、第１シェア画像及び第２シェア画像が印刷される為、復号情報が不変である。従って、復号情報が限られてしまい、悪意を持った第三者に推測されてしまう恐れがあった。
【００１４】
非特許文献１の技術では、ユーザが端末に表示される第２シェア画像の位置、および大きさを変更することによって、手動で位置合わせをしている。そのため、スマートフォンなどのタッチパネルディスプレイでは、媒体を端末にかざしながら、第２シェア画像の位置および大きさを、タッチパネルを介して変更することが困難である課題があった。
【００１５】
また、第三者に容易に推測されないように、多くのセグメント数字の一部を第１シェア画像として印刷しておき、復号情報としては、数字を１つずつ再現している。例えば、「１２３４」という４桁の暗証番号が復号情報であった場合、「１」を再現する為の第２シェア画像を数秒表示、次に「２」を再現する為の第２シェア画像を数秒表示、次に「３」を再現する為の第２シェア画像を数秒表示、次に「４」を再現する為の第２シェア画像を数秒表示、としている。このような表示方法では、ユーザにとって非常に不便である課題があった。
【００１６】
本発明は、前述した問題点に鑑みてなされたもので、その目的とすることは、視覚復号型秘密分散法における復号情報を可変とするとともに、ユーザが復号情報を容易に閲覧できる復号情報提供システム等を提供することである。
【課題を解決するための手段】
【００１７】
前述した目的を達成するために、第１の発明は、視覚復号型秘密分散法により秘密情報を第１シェア画像と第２シェア画像に分散し、分散された前記第１シェア画像を表示する媒体と、前記第２シェア画像を生成するサーバと、前記第２シェア画像を表示する端末と、からなる復号情報提供システムにおいて、前記媒体は、前記第１シェア画像を生成する制御部と、前記第１シェア画像を表示するものであって、本体部の背面側が透過的に視認可能な第１ディスプレイと、を有し、前記端末は、ネットワークを介して前記サーバから前記第２シェア画像を取得する制御部と、前記第２シェア画像を表示する第２ディスプレイと、を有し、前記第１ディスプレイと前記第２ディスプレイとが重ねられることによって、前記秘密情報が復号されることを特徴とする復号情報提供システムである。
第１の発明によって、視覚復号型秘密分散法における復号情報を可変とし、ユーザは復号情報を容易に閲覧できる。
【００１８】
前記媒体が前記端末にかざされた場合、前記端末は、前記媒体の第１ディスプレイに表示された前記第１シェア画像の位置、大きさ、および向きを検知し、前記第２シェア画像の位置、大きさ、および向きを合わせて表示する。
これにより、媒体を端末に重ね合わせるだけで、第２シェア画像の位置、大きさ、および向きの調整がなされ、容易に秘密情報を再生することが可能となる。
【００１９】
前記第２ディスプレイは、静電式タッチパネルであり、前記媒体の所定位置には、前記第２ディスプレイの静電式タッチパネルに反応する材質の位置決め部材が３つ設けられている。
これにより、端末は、静電式タッチパネルに媒体の位置決め部材が触れると、触れた領域を検出することができる。
【００２０】
前記位置決め部材と同一の材質であって、前記位置決め部材の少なくとも１つと連接する放電部材が設けられている。
これにより、第２ディスプレイ（静電式タッチパネル）表面の電解を放電することが可能となる。
【００２１】
前記位置決め部材は、前記第１ディスプレイを囲む矩形領域の四隅のうちのいずれか三隅に配置されている。
これにより、端末は、第１ディスプレイの向きを正しく検知することができる。
【００２２】
前記位置決め部材が配置されていない残りの１つの角には、静電式タッチパネルに反応しない材質の部材が設けられる。
これにより、媒体を端末に置いた際のがたつきを抑えることができる。
【００２３】
第２の発明は、視覚復号型秘密分散法により秘密情報を第１シェア画像と第２シェア画像に分散し、分散された前記第１シェア画像を媒体の第１ディスプレイに表示し、サーバによって生成される前記第２シェア画像を端末の第２ディスプレイに表示する復号情報提供方法において、前記媒体が、前記第１シェア画像を生成し、前記第１シェア画像を前記第１ディスプレイに表示するステップと、前記端末が、ネットワークを介して前記サーバから前記第２シェア画像を取得し、前記第２シェア画像を前記第２ディスプレイに表示するステップと、を含み、前記第１ディスプレイと前記第２ディスプレイとが重ねられることによって、前記秘密情報が復号されることを特徴とする復号情報提供方法である。
第２の発明によって、視覚復号型秘密分散法における復号情報を可変とし、ユーザは復号情報を容易に閲覧できる。
【００２４】
第３の発明は、視覚復号型秘密分散法により秘密情報を第１シェア画像と第２シェア画像に分散し、分散された前記第１シェア画像を表示する媒体において、前記第１シェア画像を生成する制御部と、前記第１シェア画像を表示するものであって、本体部の背面側が透過的に視認可能な第１ディスプレイと、を有し、前記媒体の所定位置には、前記第２シェア画像を表示する静電式タッチパネルに反応する材質の位置決め部材が３つ設けられていることを特徴とする媒体である。
第３の発明によって、視覚復号型秘密分散法における復号情報を可変とし、ユーザは復号情報を容易に閲覧できる。特に、端末は、静電式タッチパネルに媒体の位置決め部材が触れると、触れた領域を検出し、位置合わせを行うことができる。
【００２５】
第３の発明の媒体には、前記位置決め部材と同一の材質であって、前記位置決め部材の少なくとも１つと連接する放電部材が設けられている。
また、前記位置決め部材は、前記第１ディスプレイを囲む矩形領域の四隅のうちのいずれか三隅に配置されている。
【発明の効果】
【００２６】
本発明により、視覚復号型秘密分散法における復号情報を可変とするとともに、ユーザが復号情報を容易に閲覧できる復号情報提供システム等を提供することができる。
【図面の簡単な説明】
【００２７】
【図１】本発明の実施の形態としての復号情報提供システムの構成例を示す図である。
【図２】媒体の外観構成例を示す図である。
【図３】媒体の裏面（背面）図である。
【図４】図２のＡ−Ａ線の断面図である。
【図５】ユーザが媒体２を端末３にかざすことで秘密情報を復号する一連の処理について説明するフローチャートである。
【図６】第１シェア画像の表示例を示す図である。
【図７】媒体を端末にかざす様子を示す図である。
【図８】第２シェア画像の表示例を示す図である。
【図９】復号情報の表示例を示す図である。
【図１０】第１シェア画像と第２シェア画像の一部のセグメント領域が重複する様子を説明するための図である。
【図１１】位置決め部材を本体部の角部に配置した例を示す図である。
【図１２】位置決め部材を本体部に埋め込んだ場合の図２のＡ−Ａ線の断面図である。
【発明を実施するための形態】
【００２８】
以下、図面に基づいて、本発明の実施形態を詳細に説明する。
【００２９】
［本発明の実施の形態］
図１は、本発明の実施の形態としての復号情報提供システムの構成例を示す図である。
【００３０】
図１に示すように、復号情報提供システム１は、視覚復号型秘密分散法により、秘密情報（可変情報）を２つに分散し、分散された一方の画像（以下、第１シェア画像と称する）を表示する媒体２、他方の画像（以下、第２シェア画像と称する）を表示する端末３、およびサーバ４を有し、端末３とサーバ４がネットワーク５を介して接続されることで構成される。
【００３１】
ここで、本発明で用いる視覚復号型秘密分散法を用いた暗号方法について簡単に説明する。この手法は、秘密情報である乱数表やワンタイムパスワードを２つに分散し、分散された第１シェア画像を媒体２にて表示させるとともに、第２シェア画像を端末３に表示させる。そして、これらの画像を重ね合わせることによって、乱数表やワンタイムパスワードが視覚的に復号され、再生される。本発明は、この視覚復号型秘密分散法を用いて秘密情報を暗号化し、容易に復号できるようにするものである。
【００３２】
次に、第１シェア画像と第２シェア画像について説明する。ワンタイムパスワードの場合、媒体２とサーバ４とが、表示回数や出荷時点からの経過時間などによって同期が取れたパスワードを生成する。例えば、以下のように、毎回異なるパスワードが生成される。
１回目のパスワード・・・１２３４
２回目のパスワード・・・２３４５
３回目のパスワード・・・３４５６
【００３３】
ユーザが媒体２のスイッチを押下すると、媒体２の制御部は、ワンタイムパスワードを生成する。次に、媒体２の制御部は、視覚復号型秘密分散法を用いて、媒体２に表示されるセグメント領域を示す画像（第１シェア画像）を生成する。そして、媒体２の制御部は、第１シェア画像を表示する。
これに対して、ユーザが端末３に対して第２シェア画像の生成を指示すると、端末３の制御部は、サーバ４に第２シェア画像の生成処理を依頼する。サーバ４の制御部は、ワンタイムパスワードを生成し、視覚復号型秘密分散法を用いて、端末３に表示されるセグメント領域を示す画像（第２シェア画像）を生成し、第２シェア画像を端末３に送信する。端末３の制御部は、サーバ４から受信する第２シェア画像を表示する。
尚、媒体２とサーバ４は、上述したように表示回数または時間の同期により同一のパスワードを生成しており、媒体２で生成した第１シェア画像とサーバ４で生成した第２シェア画像を重ねることにより、パスワードを復号することができる。
【００３４】
例えば、インターネットバンキングなどにログインする場合、ユーザは、視覚的に復号されるパスワードを端末３に入力する。端末３は、入力されたパスワードをサーバ４に送信する。サーバ４は、端末３から受信するパスワードを照合し、ログインの可否を判定する。
【００３５】
図１の説明に戻る。媒体２は、紙、プラスチックなどの素材であって、シート状、カード状の形状である。媒体２は、内部にＣＰＵ（Central Processing Unit）（制御部）、ＲＡＭ（Random
Access Memory）、メモリなどを実装するとともに、本体の背面側が透明的に視認可能なディスプレイ２１を有する。
【００３６】
媒体２は、サーバ４と同期が取られたワンタイムパスワードが視覚復号型秘密分散法により分散された第１シェア画像をメモリに記憶し、メモリから読み出した第１シェア画像をディスプレイ２１に表示させる。ディスプレイ２１には、静電式タッチパネルに反応する位置決め部材２３Ａ〜２３Ｃ（図３、図４）が設けられている。
【００３７】
端末３は、ディスプレイ（映像表示装置）３１を有する携帯端末、スマートフォン、パーソナルコンピュータなどである。端末３は、媒体２がかざされたことを検知すると、サーバ４からネットワーク５を介して、予め定められた第１シェア画像に対応する第２シェア画像を取得し、ディスプレイ３１に表示させる。ディスプレイ３１には、静電式タッチパネルが用いられる。
【００３８】
例えば、ユーザは、第１シェア画像が表示されている媒体２を、図中矢印Ａで示す方向に端末３上に位置合わせして重ねることにより、端末３が静電式タッチパネル（ディスプレイ３１）に触れた媒体２を検知し、サーバ４から取得した第２シェア画像をディスプレイ３１に表示させる。これにより、ユーザの目が復号器の役割を果たし、秘密情報（可変情報）を復号（可視化）することができる。そして、ユーザは、２つのシェア画像を重ね合わせることによって視認できる文字や数字（以下、復号情報と称する）を正しく入力し、その入力情報を、ネットワーク５を介してサーバ４に送信し、本人認証を依頼する。
【００３９】
サーバ４は、ＣＰＵ（制御部）、ＲＯＭ（Read Only memory）、ＲＡＭ、およびＨＤＤなどを実装したコンピュータシステムである。サーバ４は、媒体２と同期が取られたワンタイムパスワードが視覚復号型秘密分散法により分散された第２シェア画像をＨＤＤに記憶し、端末３からの要求に応じて、予め定められた第１シェア画像に対応する第２シェア画像を、ネットワーク５を介して端末３に送信する。またサーバ４は、端末３から送信されてきた入力情報に基づいて、端末３を操作しているユーザの本人認証を行い、認証結果を、ネットワーク５を介して端末３に送信する。
【００４０】
ネットワーク５は、公衆回線網、ローカルエリアネットワーク、またはインターネットなどのネットワーク、デジタル衛星放送といった、有線または無線のいずれのものでもよい。
【００４１】
図２〜４は、本発明に係る媒体の構成例を示す図である。図２は、媒体２の外観構成例を示す図であり、図３は、図２の媒体２を正面とした場合の裏面（背面）図であり、図４は、図２のＡ−Ａ線の断面図である。
【００４２】
媒体２の本体部２０には、正面（図２）から見て、右上方にディスプレイ２１が設けられており、右下方にスイッチ２２が設けられている。また本体部２０には、裏面（図３）から見て、左上方に配置されるディスプレイ２１を囲む矩形領域の四隅のうちのいずれか三隅に位置決め部材２３Ａ〜２３Ｃが設けられている。図３の例では、ディスプレイ２１の左上隅、右上隅、および右下隅に位置決め部材２３Ａ〜２３Ｃが設けられている。また媒体２の本体部２０の内部には、放電部材２４が設けられている。
【００４３】
ディスプレイ２１は、透明液晶を用いることにより、背面側が透明的（透過的）に視認可能になされており、第１シェア画像を表示する。スイッチ２２は、ディスプレイ２１に第１シェア画像を表示する場合に操作される。
【００４４】
なお、ディスプレイ２１は、スイッチ２２が押下された場合にのみ第１シェア画像を所定時間表示し、通常時は非表示となっている。つまり、ディスプレイ２１に、常時、第１シェア画像が表示されていると、悪意を持った第三者によって盗み見られてしまう恐れがある。そこでスイッチ２２を設けることにより、スイッチ２２がユーザによって押下（操作）された場合にのみ、ディスプレイ２１に第１シェア画像を表示させ、所定時間経過後には、再び非表示に切り替わるようになされている。
【００４５】
位置決め部材２３Ａ〜２３Ｃは、図４の断面図に示すように、裏面側に突起物を有しており、静電式タッチパネルに反応する材質（導電性物質）で形成されている。ただし、位置決め部材の数は、２つまたは４つにしてしまうと、ディスプレイ２１の向きが不明になるため、３つ設ける必要がある。また、位置決め部材２３Ａ〜２３Ｃの突起物の高さは、媒体２を端末３に置いた際に、がたつかない程度（数ミリ程度）である。
【００４６】
このような静電式タッチパネルに反応する材質で形成される位置決め部材２３Ａ〜２３Ｃが媒体２の本体部２０の裏面に設けられることにより、端末３のディスプレイ３１（静電式タッチパネル）が、媒体２のディスプレイ２１に表示された第１シェア画像の位置、大きさ、向きを検知し、第２シェア画像の位置、大きさ、および向きを合わせて表示することができる。
【００４７】
放電部材２４は、位置決め部材２３Ａ〜２３Ｃと同じ材質（導電性物質）で形成されており、例えば、位置決め部材２３Ａ〜２３Ｃの３つ全てと連接し、枠体として成形されている。放電部材２４は、端末３の第２ディスプレイ３１（静電式タッチパネル）表面の電解を放電する。枠体として成形する理由は、ディスプレイ２１の背面側が視認可能となるように、放電部材２４がディスプレイ２１の背面を覆わないようにする為である。
【００４８】
放電部材２４は、位置決め部材２３Ａ〜２３Ｃと静電式タッチパネルとの接触点の電界の放電に必要な表面積を有している。つまり、位置決め部材２３Ａ〜２３Ｃと放電部材２４の関係は、人間の指が静電式タッチパネルに触れた時の指先と指全体の関係と同様である。
また、結果として、発熱体であるＣＰＵ等の熱を外部に逃がす（放熱を行う）ことも可能となる。
尚、放電部材２４は、位置決め部材２３Ａ〜２３Ｃの３つ全てと連接する必要はなく、いずれか１つ又は２つと連接するだけでも良い。また、放電部材２４の形状は、枠体に限らず、ディスプレイ２１の背面を覆わない形状であれば良い。但し、カード内の限られたスペースで効率良く放電する必要があるため、位置決め部材２３Ａ〜２３Ｃの３つ全てに連接するような構成が望ましい。
【００４９】
次に、図５のフローチャートを参照して、ユーザが媒体２を端末３にかざすことで秘密情報を復号する一連の処理について説明する。図５の説明に当たり、図６〜図９を参照し、具体的な表示内容も説明する。図６〜９は、媒体２のディスプレイ２１または端末３のディスプレイ３１の表示例を説明する図である。
【００５０】
ステップＳ１において、ユーザは、媒体２のスイッチ２２を押下する。ステップＳ２において、媒体２のＣＰＵは、スイッチ２２が押下されたことをトリガにして、第１シェア画像を生成し、ディスプレイ２１に表示させる。これにより、媒体２のディスプレイ２１には、例えば、図６に示すような第１シェア画像が表示される。図６の例では、「６３２４」が分散された第１シェア画像がセグメント形式で表示されている。
【００５１】
ステップＳ３において、ユーザは、第１シェア画像がディスプレイ２１に表示されている状態（図６）で、図７に示すようにして、媒体２を端末３にかざす。
【００５２】
ステップＳ４において、端末３のＣＰＵ（制御部）は、媒体２の位置、大きさ、および向きを検出する。具体的には、端末３は、静電式タッチパネル（ディスプレイ３１）に媒体２の位置決め部材２３Ａ〜２３Ｃが触れると、触れた領域（図３の例では円）を検出する。次に、触れた領域毎に重心を算出し、位置決め部材２３Ａ〜２３Ｃの位置を画素レベルで特定する。次に、特定された３つの位置決め部材２３Ａ〜２３Ｃの位置に基づいて、媒体２の位置、大きさ、および向きを算出する。
【００５３】
ステップＳ５において、端末３のＣＰＵは、サーバ４から取得した第２シェア画像をディスプレイ３１に表示させる。具体的には、端末３は、タッチパネルに表示されているボタンをユーザが押下すると、サーバ４に第２シェア画像の生成処理を依頼する。端末３は、サーバ４からネットワーク５を介して、第１シェア画像に対応する第２シェア画像を取得する。次に、ステップＳ４の処理で検出した媒体２の大きさに合わせて、第２シェア画像を拡大又は縮小する。次に、ステップＳ４の処理で検出した媒体２の位置および向きに合わせて、第２シェア画像の表示位置を決定する。次に、決定した表示位置に第２シェア画像を表示する。
【００５４】
ステップＳ５の処理により、媒体３のディスプレイ３１には、例えば、図８に示すような第２シェア画像がセグメント形式で表示される。図８の例では、「６３２４」が分散された第２シェア画像が表示されている。なお、説明を分かりやすくするために、図８には端末３のみが図示されているが、実際には、端末２がかざされた状態となっている。
【００５５】
ステップＳ６において、ユーザは、２つのシェア画像を重ね合わせることによって復号情報を確認する。これにより、媒体２のディスプレイ２１には、例えば、図９に示すような復号情報が表示される。図９の例では、第１シェア画像（図７）と第２シェア画像（図８）が重畳し、「６３２４」がセグメント形式で表示されている。
【００５６】
なお、図１０に示すように、第１シェア画像と第２シェア画像は、一部のセグメント領域が重複するように分散されている。図１０の例では、第１シェア画像のセグメントＳＥＧ１〜ＳＥＧ５が、第２シェア画像のセグメントＳＥＧ１１〜ＳＥＧ１５とそれぞれ重複している。これにより、第三者が復号情報を容易に推測することが困難になる。
【００５７】
［発明の実施の形態における効果］
１．視覚復号型秘密分散法により分散された秘密情報を再生する際に、２つのシェア画像の重ね合わせを容易に行うことができるため、秘密情報を確実に再生することが可能となる。
【００５８】
２．端末３は、媒体２に応じて、第２シェア画像の位置、大きさ、および向きを調整してディスプレイ３１に表示させることができるため、いかなる大きさの媒体２を用いても秘密情報の再生を行うことが可能となる。つまり、媒体２のディスプレイ２１の大きさや解像度が変化しても、媒体２を端末３に重ね合わせるだけで、自動的に、第２シェア画像の位置、大きさ、および向きの調整がなされ、容易に秘密情報を再生することが可能となる。
【００５９】
［変形例］
１．位置決め部材２３Ａ〜２３Ｃは、図３に示したように、ディスプレイ２１を囲む矩形領域の四隅に配置されるようにしたが、これに限らず、例えば、本体部２０の角部に配置したり、あるいは、本体部２０に埋め込んだりすることも勿論可能である。
【００６０】
図１１は、位置決め部材を本体部の角部に配置した例を示す図である。図１１の例では、位置決め部材２３Ａ〜２３Ｃが、本体部２０の角部に配置されている。また位置決め部材が配置されない残り１つの角には、静電式タッチパネルに反応しない材質の非反応部材２５が設けられる。また、媒体２を端末３に置いた際のがたつきを抑えるため、位置決め部材２３Ａ〜２３Ｃ、および非反応部材２５の高さを合わせるようにする。
【００６１】
このように、位置決め部材２３Ａ〜２３Ｃの配置場所は、媒体２のディスプレイ２１の近傍だけではなく、媒体２自体の角のように、想定される端末３のディスプレイ３１（静電式タッチパネル）の領域を囲むように配置されればよい。
【００６２】
図１２は、位置決め部材を本体部に埋め込んだ場合の図２のＡ−Ａ線の断面図である。図１２に示すように、位置決め部材２３Ａ〜２３Ｃ（位置決め部材２３Ａは不図示）を埋め込むことにより、端末３に安定して置くことができ、また、ＡＴＭや駅券売機などに挿入して使用することも可能となる。
【００６３】
２．位置決め部材２３Ａ〜２３Ｃの配置位置を変えたり、埋め込んだりするだけでなく、本体部２０の裏面の所定の位置に、静電式タッチパネルに反応する材料を塗布するだけでも勿論良い。
【００６４】
以上、添付図面を参照しながら、本発明に係る復号情報提供システム等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００６５】
１………復号情報提供システム
２………媒体
３………端末
４………サーバ
２１………ディスプレイ
２３Ａ〜２３Ｃ………位置決め部材
３１………ディスプレイ
【図１】
2012242572.tif 000003
【図２】
2012242572.tif 000004
【図３】
2012242572.tif 000005
【図４】
2012242572.tif 000006
【図５】
2012242572.tif 000007
【図６】
2012242572.tif 000008
【図７】
2012242572.tif 000009
【図８】
2012242572.tif 000010
【図９】
2012242572.tif 000011
【図１０】
2012242572.tif 000012
【図１１】
2012242572.tif 000013
【図１２】
2012242572.tif 000014